(57)【要約】【課題】指向性のあるリモコン光を受光可能な範囲が広い撮像装置を提供する。【解決手段】デジタルカメラ１のフラッシュ部５のハウジングの一部となるフラッシュパネル５１は透明材で構成される。リモコン光を受光するリモコン受光部４６は、フラッシュパネル５１の内表面を境界として規定される空間５１ｓ内に、受光面を正面側（Ｚ軸−側）へ向けて配置される。背面側（Ｚ軸＋側）からのリモコン光Ｒｂ２は、フラッシュパネル５１の端面５９から入射し、パネル面の形状に沿ってハーフミラー５５まで導かれる。リモコン光Ｒｂ２は、ハーフミラー５５によって反射され、リモコン受光部４６に受光される。したがって、リモコン受光部４６は、正面側及び背面側の双方からのリモコン光を受光できる。【選択図】図５
2006010838.tif 000002
【特許請求の範囲】
【請求項１】
撮像手段を有する撮像装置であって、
フラッシュ光を発光するフラッシュ光源と、
外表面と内表面とを有するとともに、少なくとも前記撮像手段が撮影を行う第１の向き、及び、前記第１の向きに垂直な第２の向きにおいて前記フラッシュ光源を包囲し、かつ、少なくとも前記第１及び前記第２の向きにおいて光を透過する立体化パネルと、
前記立体化パネルの前記外表面を境界として前記フラッシュ光源側に規定された空間内に配置され、前記撮像装置の外部から発信されるリモコン光を前記立体化パネルを介して受光する受光手段と、
を備え、
前記立体化パネルは、前記第１の向きとは異なる第３の向きからのリモコン光を前記受光手段の受光面に導く導光手段として機能することを特徴とする撮像装置。
【請求項２】
撮像手段を有する撮像装置であって、
フラッシュ光を発光するフラッシュ光源と、
外表面と内表面とを有するとともに、少なくとも前記撮像手段が撮影を行う第１の向き、及び、前記第１の向きに垂直な第２の向きにおいて前記フラッシュ光源を包囲し、かつ、少なくとも前記第１及び前記第２の向きにおいて光を透過する立体化パネルと、
前記立体化パネルの前記外表面を境界として前記フラッシュ光源側に規定された空間内に配置され、前記撮像装置の動作状態を示す状態光を前記立体化パネルを介して前記撮像装置の外部に発光する発光手段と、
を備え、
前記立体化パネルは、前記第１の向きとは異なる第３の向きに前記状態光を導く導光手段として機能することを特徴とする撮像装置。
【請求項３】
請求項２に記載の撮像装置において、
前記立体化パネルが、
パネル面の面直方向においては透光性を有するとともに、パネル面の面内方向においては導光性を有するパネル本体と、
前記パネル本体の表面のうち前記第３の向きに面する端面に設けられた拡散構造と、
を備え、
前記状態光の一部が、パネル面に沿って前記パネル本体の内部を進行した後、前記拡散構造から外部へと拡散することを特徴とする撮像装置。
【請求項４】
請求項３に記載の撮像装置において、
前記端面のうちの一部が板厚方向に拡幅された拡幅部となっており、
前記拡散構造は、前記端面のうち前記拡幅部付近のみに形成されていることを特徴とする撮像装置。
【請求項５】
請求項２ないし４のいずれかに記載の撮像装置において、
前記立体化パネルは、前記状態光を分離する分離手段をさらに備え、分離した前記状態光のうちの一方を前記第１の向き、及び、他方を前記第３の向きへ導くものであり、
前記分離手段は、前記状態光のうち、前記第１の向きへ導かれる成分光が、前記第３の向きへ導かれる成分光よりも多くなるように前記状態光を分離することを特徴とする撮像装置。
【請求項６】
撮像手段を有する撮像装置であって、
フラッシュ光を発光するフラッシュ光源と、
外表面と内表面とを有するとともに、少なくとも前記撮像手段が撮影を行う第１の向き、及び、前記第１の向きに垂直な第２の向きにおいて前記フラッシュ光源を包囲し、かつ、少なくとも前記第１及び前記第２の向きにおいて光を透過する立体化パネルと、
前記立体化パネルの前記内表面を境界として前記フラッシュ光源側に規定された空間内で前記フラッシュ光源を回動して、前記フラッシュ光の発光の向きを前記第１の向きと前記第２の向きとの間の第３の向きに変更可能な駆動手段と、
を備えることを特徴とする撮像装置。
【請求項７】
請求項６に記載の撮像装置において、
第１モードと第２モードとを含む複数の発光モードから一の発光モードの選択指示をユーザから受け付けるモード受付手段、
をさらに備え、
前記駆動手段は、
前記第１モードが選択されたとき、前記フラッシュ光の発光の向きを前記第１の向きに変更し、
前記第２モードが選択されたとき、前記フラッシュ光の発光の向きを前記第３の向きに変更することを特徴とする撮像装置。
【請求項８】
請求項６または７に記載の撮像装置において、
前記第１の向きに対する前記第３の向きの設定角度をユーザから受け付ける角度受付手段、
を備え、
前記駆動手段は、前記第１の向きに対する前記第３の向きの角度を前記設定角度に調整することを特徴とする撮像装置。
【請求項９】
撮像手段を有する撮像装置であって、
前記撮像手段が撮影を行なう第１の向きにフラッシュ光を発光する第１光源と、
前記第１の向きと前記第１の向きに垂直な第２の向きとの間の第３の向きにフラッシュ光を発光する第２光源と、
外表面と内表面とを有するとともに、少なくとも前記第１及び前記第２の向きにおいて前記第１及び第２光源を包囲し、かつ、少なくとも前記第１及び前記第２の向きにおいて光を透過する立体化パネルと、
を備えることを特徴とする撮像装置。
【請求項１０】
請求項９に記載の撮像装置において、
第１モードと第２モードとを含む複数の発光モードから一の発光モードの選択指示をユーザから受け付けるモード受付手段と、
選択された前記一の発光モードに応じて、前記第１光源及び前記第２光源の発光を制御する発光制御手段と、
をさらに備え、
前記発光制御手段は、
前記第１モードが選択されたとき、前記第１光源のみを発光させ、
前記第２モードが選択されたとき、前記第２光源のみを発光させることを特徴とする撮像装置。
【請求項１１】
請求項９に記載の撮像装置において、
第１モードと第２モードとを含む複数の発光モードから一の発光モードの選択指示をユーザから受け付ける受付手段と、
選択された前記一の発光モードに応じて、前記第１光源及び前記第２光源の発光を制御する発光制御手段と、
をさらに備え、
前記発光制御手段は、
前記第１モードが選択されたとき、前記第１光源のみを発光させ、
前記第２モードが選択されたとき、前記第１光源及び前記第２光源の双方を発光させることを特徴とする撮像装置。
【請求項１２】
請求項１１に記載の撮像装置において、
前記第１光源の発光光量と前記第２光源の発光光量との設定比をユーザから受け付ける受付手段と、
前記第１光源及び前記第２光源の発光光量を調整して、前記第１光源の発光光量と前記第２光源の発光光量との比を前記設定比にする光量調整手段と、
をさらに備えることを特徴とする撮像装置。
【請求項１３】
請求項１ないし１２のいずれかに記載の撮像装置において、
前記立体化パネルは、前記第１の向きに垂直な３つの向き、及び、前記第１の向きにおいて前記フラッシュ光源を包囲する形状であることを特徴とする撮像装置。
【請求項１４】
請求項１３に記載の撮像装置において、
前記立体化パネルの前記第１の向きに直交する断面形状は、アーチ状であることを特徴とする撮像装置。
【発明の詳細な説明】
【技術分野】
【０００１】
本発明は、フラッシュ光を発光する光源を備える撮像装置に関する。
【背景技術】
【０００２】
従来より、デジタルカメラや銀塩カメラなどの撮像装置には、被写体の輝度が比較的低い場合においても撮影可能なように、フラッシュ光を発光するフラッシュ光源が設けられている。
【０００３】
なお、この出願に関連する先行技術文献情報として以下の文献がある。
【０００４】
【特許文献１】特開２００２−２１８２８６号公報
【特許文献２】特開平８−２４８４８８号公報
【発明の開示】
【発明が解決しようとする課題】
【０００５】
ところで、撮像装置では、リモコンを用いて各種操作が可能なものも知られている。一般に撮像装置では、コストの低減を図るため、赤外線をリモコン光に用いる赤外線方式がリモコン方式に採用される。しかしながら、赤外線方式ではリモコン光が指向性を有することから、リモコン光の受光素子の受光面が面する向き以外の向きからは、リモコン光を受光できない。このため、撮像装置においてリモコン光を受光可能な範囲は制限されることとなる。
【０００６】
またところで、撮像装置では、セルフタイマーランプなど、動作状態をユーザに示すための状態光を発光する各種の動作表示灯が配置される。動作表示灯の状態光は、ユーザに様々な情報を与えるものであるため視認性が高いほど好ましい。しかしながら一般に、状態光は、光源としての動作表示灯が配置された向きからしか視認することはできない。例えば、セルフタイマーランプは、被写体が存在する正面側に一般に配置されるため、その状態光は背面側からは視認することはできないこととなる。
【０００７】
またところで、撮像装置では、バウンス撮影（フラッシュ光を被写体近傍の天井や壁などに発光し、その反射光で間接的に被写体を照明しての撮影）を行なうことが望まれる場合がある。このようなバウンス撮影が可能な従来の撮像装置では、バウンス撮影の際には、フラッシュ光の発光方向を変更するために、フラッシュ光源を撮像装置の本体部から突出させるようになっていた。しかしながら、このように本体部からフラッシュ光源を突出させると、撮像装置のデザイン性やコンパクト性が大きく損なわれる。撮像装置のコンパクト性が損なわれると、外部から撮像装置に不要な負荷が与えられやすくなり、撮像装置の故障に繋がる可能性がある。
【０００８】
本発明は、上記課題に鑑みてなされたものであり、指向性のあるリモコン光を受光可能な範囲が広い撮像装置を提供することを第１の目的とする。
【０００９】
また本発明は、状態光の視認性が高い撮像装置を提供することを第２の目的とする。
【００１０】
また本発明は、撮像装置のデザイン性やコンパクト性を損なうことなくバウンス発光を行なうことが可能な撮像装置を提供することを第３の目的とする。
【課題を解決するための手段】
【００１１】
上記課題を解決するため、請求項１の発明は、撮像手段を有する撮像装置であって、フラッシュ光を発光するフラッシュ光源と、外表面と内表面とを有するとともに、少なくとも前記撮像手段が撮影を行う第１の向き、及び、前記第１の向きに垂直な第２の向きにおいて前記フラッシュ光源を包囲し、かつ、少なくとも前記第１及び前記第２の向きにおいて光を透過する立体化パネルと、前記立体化パネルの前記外表面を境界として前記フラッシュ光源側に規定された空間内に配置され、前記撮像装置の外部から発信されるリモコン光を前記立体化パネルを介して受光する受光手段と、を備え、前記立体化パネルは、前記第１の向きとは異なる第３の向きからのリモコン光を前記受光手段の受光面に導く導光手段として機能する。
【００１２】
また、請求項２の発明は、撮像手段を有する撮像装置であって、フラッシュ光を発光するフラッシュ光源と、外表面と内表面とを有するとともに、少なくとも前記撮像手段が撮影を行う第１の向き、及び、前記第１の向きに垂直な第２の向きにおいて前記フラッシュ光源を包囲し、かつ、少なくとも前記第１及び前記第２の向きにおいて光を透過する立体化パネルと、前記立体化パネルの前記外表面を境界として前記フラッシュ光源側に規定された空間内に配置され、前記撮像装置の動作状態を示す状態光を前記立体化パネルを介して前記撮像装置の外部に発光する発光手段と、を備え、前記立体化パネルは、前記第１の向きとは異なる第３の向きに前記状態光を導く導光手段として機能する。
【００１３】
また、請求項３の発明は、請求項２に記載の撮像装置において、前記立体化パネルが、パネル面の面直方向においては透光性を有するとともに、パネル面の面内方向においては導光性を有するパネル本体と、前記パネル本体の表面のうち前記第３の向きに面する端面に設けられた拡散構造と、を備え、前記状態光の一部が、パネル面に沿って前記パネル本体の内部を進行した後、前記拡散構造から外部へと拡散する。
【００１４】
また、請求項４の発明は、請求項３に記載の撮像装置において、前記端面のうちの一部が板厚方向に拡幅された拡幅部となっており、前記拡散構造は、前記端面のうち前記拡幅部付近のみに形成されている。
【００１５】
また、請求項５の発明は、請求項２ないし４のいずれかに記載の撮像装置において、前記立体化パネルは、前記状態光を分離する分離手段をさらに備え、分離した前記状態光のうちの一方を前記第１の向き、及び、他方を前記第３の向きへ導くものであり、前記分離手段は、前記状態光のうち、前記第１の向きへ導かれる成分光が、前記第３の向きへ導かれる成分光よりも多くなるように前記状態光を分離する。
【００１６】
また、請求項６の発明は、撮像手段を有する撮像装置であって、フラッシュ光を発光するフラッシュ光源と、外表面と内表面とを有するとともに、少なくとも前記撮像手段が撮影を行う第１の向き、及び、前記第１の向きに垂直な第２の向きにおいて前記フラッシュ光源を包囲し、かつ、少なくとも前記第１及び前記第２の向きにおいて光を透過する立体化パネルと、前記立体化パネルの前記内表面を境界として前記フラッシュ光源側に規定された空間内で前記フラッシュ光源を回動して、前記フラッシュ光の発光の向きを前記第１の向きと前記第２の向きとの間の第３の向きに変更可能な駆動手段と、を備えている。
【００１７】
また、請求項７の発明は、請求項６に記載の撮像装置において、第１モードと第２モードとを含む複数の発光モードから一の発光モードの選択指示をユーザから受け付けるモード受付手段、をさらに備え、前記駆動手段は、前記第１モードが選択されたとき、前記フラッシュ光の発光の向きを前記第１の向きに変更し、前記第２モードが選択されたとき、前記フラッシュ光の発光の向きを前記第３の向きに変更する。
【００１８】
また、請求項８の発明は、請求項６または７に記載の撮像装置において、前記第１の向きに対する前記第３の向きの設定角度をユーザから受け付ける角度受付手段、を備え、前記駆動手段は、前記第１の向きに対する前記第３の向きの角度を前記設定角度に調整する。
【００１９】
また、請求項９の発明は、撮像手段を有する撮像装置であって、前記撮像手段が撮影を行なう第１の向きにフラッシュ光を発光する第１光源と、前記第１の向きと前記第１の向きに垂直な第２の向きとの間の第３の向きにフラッシュ光を発光する第２光源と、外表面と内表面とを有するとともに、少なくとも前記第１及び前記第２の向きにおいて前記第１及び第２光源を包囲し、かつ、少なくとも前記第１及び前記第２の向きにおいて光を透過する立体化パネルと、を備えている。
【００２０】
また、請求項１０の発明は、請求項９に記載の撮像装置において、第１モードと第２モードとを含む複数の発光モードから一の発光モードの選択指示をユーザから受け付けるモード受付手段と、選択された前記一の発光モードに応じて、前記第１光源及び前記第２光源の発光を制御する発光制御手段と、をさらに備え、前記発光制御手段は、前記第１モードが選択されたとき、前記第１光源のみを発光させ、前記第２モードが選択されたとき、前記第２光源のみを発光させる。
【００２１】
また、請求項１１の発明は、請求項９に記載の撮像装置において、第１モードと第２モードとを含む複数の発光モードから一の発光モードの選択指示をユーザから受け付ける受付手段と、選択された前記一の発光モードに応じて、前記第１光源及び前記第２光源の発光を制御する発光制御手段と、をさらに備え、前記発光制御手段は、前記第１モードが選択されたとき、前記第１光源のみを発光させ、前記第２モードが選択されたとき、前記第１光源及び前記第２光源の双方を発光させる。
【００２２】
また、請求項１２の発明は、請求項１１に記載の撮像装置において、前記第１光源の発光光量と前記第２光源の発光光量との設定比をユーザから受け付ける受付手段と、前記第１光源及び前記第２光源の発光光量を調整して、前記第１光源の発光光量と前記第２光源の発光光量との比を前記設定比にする光量調整手段と、をさらに備えている。
【００２３】
また、請求項１３の発明は、請求項１ないし１２のいずれかに記載の撮像装置において、前記立体化パネルは、前記第１の向きに垂直な３つの向き、及び、前記第１の向きにおいて前記フラッシュ光源を包囲する形状である。
【００２４】
また、請求項１４の発明は、請求項１３に記載の撮像装置において、前記立体化パネルの前記第１の向きに直交する断面形状は、アーチ状である。
【発明の効果】
【００２５】
請求項１の発明によれば、第３の向きからのリモコン光は、立体化パネルによって受光手段の受光面に導かれる。このため、一の受光手段で、複数の向きからのリモコン光を受光でき、撮像装置としてリモコン光の受光可能な範囲を拡大できる。また、フラッシュ光源を包囲する立体化パネルが導光手段として機能することから、専用の光学系などが不要となり、大きなコスト上昇を伴うこともない。
【００２６】
また、請求項２ないし５の発明によれば、発光手段からの状態光は、立体化パネルによって第３の向きに導かれる。このため、一の発光手段からの状態光を複数の向きから視認することができ、状態光の視認性が向上する。また、フラッシュ光源を包囲する立体化パネルが導光手段として機能することから、専用の光学系などが不要となり、大きなコスト上昇を伴うこともない。
【００２７】
また、特に請求項３の発明によれば、状態光が導かれる第３の向きに面する端面に拡散構造が設けられ、状態光の一部が拡散構造から外部へと拡散することから、状態光の乱反射により第３の向きにおける状態光の視認性を向上できる。
【００２８】
また、特に請求項４の発明によれば、端面の一部が板厚方向に拡幅された拡幅部となっており、この拡幅部付近のみに拡散構造が形成されることから、第３の向きにおける状態光の視認性を向上できる。
【００２９】
また、特に請求項５の発明によれば、ユーザが離間している可能性の高い第１の向きにおける状態光の視認性を向上できる。
【００３０】
また、請求項６ないし８の発明によれば、立体化パネルの内表面を境界として規定される空間内でフラッシュ光源が回動されるため、撮像装置のデザイン性やコンパクト性を損なうことなく、バウンス発光を行なうことができる。
【００３１】
また、特に請求項７によれば、ユーザは通常発光とバウンス発光とで所望のものにフラッシュ光の発光態様を切り替えることができる。
【００３２】
また、特に請求項８の発明によれば、ユーザはフラッシュ光の発光の向きを所望の角度に調整できる。
【００３３】
また、請求項９ないし１２の発明によれば、フラッシュ光の発光の向きが互いに異なる２つのフラッシュ光源が設けられるため、撮像装置のデザイン性やコンパクト性を損なうことなく、バウンス発光を行なうことができる。
【００３４】
また、特に請求項１０の発明によれば、ユーザは通常発光とバウンス発光とで所望のものにフラッシュ光の発光態様を切り替えることができる。
【００３５】
また、特に請求項１１の発明によれば、ユーザは通常発光とバウンス発光とで所望のものにフラッシュ光の発光態様を切り替えることができる。また、バウンス発光において、被写体を複数の向きから照射できる。
【００３６】
また、特に請求項１２の発明によれば、バウンス発光の際に被写体を照射する態様を、ユーザの趣向に応じて種々に変更できる。
【００３７】
また、請求項１３及び１４の発明によれば、強度の高い立体化パネルとすることができる。
【発明を実施するための最良の形態】
【００３８】
以下、図面を参照しつつ本発明の実施の形態について説明する。なお、本明細書において「方向」とは、一の直線によって定義される２つの「向き」の双方を含む概念である。すなわち、本明細書においては、「方向」のうちの一方を「向き」（あるいは「側」）という。
【００３９】
＜１．第１の実施の形態＞
＜１−１．全体構成＞
図１ないし図３は、本発明の実施の形態に係るデジタルカメラ１の要部構成を示す図である。図１ないし図３はそれぞれ、デジタルカメラ１の上面図、正面図及び側面図に相当する。これらの図に示すように、デジタルカメラ１は主として、カメラ本体部２と、撮影光学系となるレンズ部３とから構成されている。
【００４０】
以下の説明においては、方向及び向きを示す際に、適宜、図中に示す３次元のＸＹＺ直交座標を用いる。このＸＹＺ軸はカメラ本体部２に対して相対的に固定される。Ｚ軸方向は撮影光学系の光軸Ｌに沿った方向である。また、デジタルカメラ１を横位置に構えた場合においては、Ｘ軸方向は鉛直方向、Ｙ軸方向は水平方向となる。デジタルカメラ１が撮影を行なう向き（＝被写体が配置される側＝正面側）は−Ｚ向きである。また、この向きに垂直な上向きは＋Ｘ向きとなる。
【００４１】
レンズ部３は、複数のレンズからなるレンズ群３１を含んで構成されている。このレンズ群３１を介した入射光の入射先位置となるデジタルカメラ１の内部の適所には、ＣＣＤなどの撮像センサ４１が設けられる。撮像センサ４１は、レンズ群３１によって結像された被写体の光像を光電変換し、被写体に係るカラー画像を取得する。
【００４２】
カメラ本体部２の上面側（Ｘ軸＋側）には、半筒状のファインダ部２１がＺ軸方向に延設されている。ファインダ部２１は、小型の液晶ディスプレイ（図示省略）をその内部に備え、接眼レンズ２１ａをその背面側（Ｚ軸＋側）に備えている。撮影待機状態においては、液晶ディスプレイに被写体の状態を示す画像が表示され（ライブビュー表示）、その画像は接眼レンズ２１ａによって視認可能とされる。これにより、ファインダ部２１は、ユーザに被写体の状態を電子的に示すこととなる。
【００４３】
また、このファインダ部２１の正面側（Ｚ軸−側）には、フラッシュ光源５２を備えたフラッシュ部５が配置されている。フラッシュ光源５２は、フラッシュ光を発光するキセノンランプなどで構成される。
【００４４】
フラッシュ部５は、ハウジングの一部に、立体化されたフラッシュパネル５１を備えている。フラッシュパネル５１は、アーチ状（略Ｕ字状）かつ略平坦なパネル面を有する前面部材５１ａと、この前面部材５１ａの周縁の屈曲形状に合わせてアーチ状に屈曲されたパネル面を有する側面部材５１ｂとの２つの部材により主として構成される立体化パネルとなっている。パネル本体部としての前面部材５１ａと側面部材５１ｂとは、透明材で構成され、それぞれのパネル面の面直方向においては透光性を有する一方で、面内方向においては導光性を有している。
【００４５】
前面部材５１ａは、そのパネル面の面直方向がほぼ鉛直方向（Ｘ軸方向）に沿うように、デジタルカメラ１の正面側（Ｚ軸−側）に配置される。したがって、フラッシュパネル５１の外表面あるいは内表面を境界として、正面側（Ｚ軸−側）、上面側（Ｘ軸＋側）及び側面側（Ｙ軸＋側，Ｙ軸−側）に関して規定される空間が、フラッシュ部５に形成される。
【００４６】
フラッシュ光源５２は、フラッシュパネル５１の内表面を境界として規定される空間内に配置され、フラッシュパネル５１によって包囲される。前面部材５１ａと側面部材５１ｂとは透明材で構成されるため、フラッシュ部５の内部は、正面側（Ｚ軸−側）、上面側（Ｘ軸＋側）及び側面側（Ｙ軸＋側，Ｙ軸−側）からそれぞれ視認可能となっている。前面部材５１ａには、フラッシュ光を集光可能にフレネルレンズが設けられていてもよい。
【００４７】
このようにフラッシュパネル５１は、正面向き（−Ｚ向き）、並びに、これに垂直な３つの向き、すなわち、上面向き（＋Ｘ向き）及び２つの側面向き（±Ｙ向き）にてフラッシュ光源５２を包囲し、かつ、正面向き（−Ｚ向き）に直交する断面形状はアーチ状である。このような形状により、フラッシュパネル５１は高い強度を有している。
【００４８】
正面から見てカメラ本体部２の左側（Ｙ軸＋側）には、ユーザがデジタルカメラ１を保持するためのグリップ部２２が設けられている。このグリップ部２２の内部には、記録媒体であるメモリカード９を着脱可能なカードスロット２９が形成される。デジタルカメラ１において取得された画像は、このメモリカード９に記録される。
【００４９】
また、グリップ部２２の上面には、シャッタボタン２３、及び、ダイヤル式のモードダイヤル２４が設けられている。シャッタボタン２３は、撮影開始指示をユーザから受け付ける操作部材であり、モードダイヤル２４は、「撮影モード」及び「再生モード」の間で動作モードを切替える指示をユーザから受け付ける操作部材である。「撮影モード」は被写体を撮影して得られる画像をメモリカード９に記録する動作モードであり、「再生モード」はメモリカード９に記録された画像を読み出して再生表示する動作モードである。
【００５０】
また、グリップ部２２の上面、及び、カメラ本体部２の背面側（Ｚ軸＋側）等には、ユーザから各種の操作を受け付けるための操作ボタン群２５が配置される。さらに、カメラ本体部２の背面側には、各種表示を行なうための液晶モニタ２６が配置される。操作ボタン群２５により所定の操作がなされると、液晶モニタ２６において設定メニューが表示される。ユーザは、この設定メニューを参照しつつ、操作ボタン群２５を操作することで、デジタルカメラ１に対して、セルフタイマー撮影を行なう設定などの各種設定を行なうことができる。
【００５１】
図４は、デジタルカメラ１の主たる機能構成を模式的に示すブロック図である。
【００５２】
図に示すように、デジタルカメラ１の内部には、装置全体を統括的に制御するためのマイクロコンピュータが設けられている。具体的には、デジタルカメラ１は、各種の演算処理を行うＣＰＵ６１、演算の作業領域などに利用されるＲＡＭ６２、及び、プログラムや各種データが記憶されるＲＯＭ６３を備えている。デジタルカメラ１の各部は、ＣＰＵ６１に対して電気的に接続され、ＣＰＵ６１の制御下において動作する。
【００５３】
ＣＰＵ６１による各種機能は、ＲＯＭ６３内に記憶されているプログラムに従ってソフトウェア的に実現される。より具体的には、ＣＰＵ６１がＲＡＭ６２を利用しつつ、プログラムに従って演算処理を行なうことにより、各種機能が実現される。このようなプログラムは、ＲＯＭ６３内に予め記憶される。また、プログラムが記録されたメモリカード９からの読出により事後的に新たなプログラムを取得し、この新たなプログラムをＲＯＭ６３に格納することも可能とされている。
【００５４】
また、図４に示す構成のうち、レンズ部３、撮像センサ４１、Ａ／Ｄ変換部４２、画像処理部４３、ＲＡＭ６２及びＣＰＵ６１は、被写体の画像を取得する機能を実現する。すなわち、レンズ部３のレンズ群３１を介した入射光は撮像センサ４１に受光される。撮像センサ４１では、その受光量に応じたアナログの電気信号が発生し、この電気信号はＡ／Ｄ変換部４２によりデジタル変換される。このデジタル変換後の電気信号の信号列としての画像は、画像処理部４３において所定の処理がなされた後、ＲＡＭ６２に格納される。さらにこの画像は、ＣＰＵ６１により画像ファイルとされてメモリカード９に記録される。
【００５５】
また、上述した液晶モニタ２６はＣＰＵ６１に電気的に接続され、ＣＰＵ６１からの信号に基づいて各種の表示を行なう。操作入力部２０は、上述したシャッタボタン２３、モードダイヤル２４及び操作ボタン群２５等を含む操作部材をひとつの機能ブロックとして示している。操作入力部２０が操作されると、当該操作に係る指示を示す信号が発生し、ＣＰＵ６１に入力される。
【００５６】
フラッシュ光源５２は、発光制御回路４４を介してＣＰＵ６１に接続される。発光制御回路４４は、ＣＰＵ６１からの信号に基づいてフラッシュ光源５２の発光光量を調整する。
【００５７】
動作表示部４５は、デジタルカメラ１の動作状態をユーザに示すための状態光を発光するＬＥＤ等で構成される各種の動作表示灯をひとつの機能ブロックとして示している。本実施の形態では、動作表示部４５には、カメラ本体部２の正面側（Ｚ軸−側）に配置されるセルフタイマーランプ２７（図２参照。）や、カメラ本体部２の背面側（Ｚ軸＋側）に配置されるアクセスランプ２８（図１参照。）などが含まれる。セルフタイマーランプ２７は、セルフタイマー撮影時に撮影タイミングを示す状態光を発光するものであり、アクセスランプ２８はメモリカード９へのアクセス中である旨を示す状態光を発光するものである。このような動作表示部４５の各動作表示灯も、ＣＰＵ６１に電気的に接続され、ＣＰＵ６１からの信号に基づいて状態光を発光する。
【００５８】
また、デジタルカメラ１は、外部のリモコン８から発信されるリモコン光を受光する受光素子で構成されるリモコン受光部４６を備えている。デジタルカメラ１では、リモコン方式として赤外線方式が採用されており、指向性（直進性）のある赤外線がリモコン光とされる。
【００５９】
リモコン受光部４６にてリモコン光が受光されると、その旨を示す信号がＣＰＵ６１に入力され、ＣＰＵ６１はその信号に応答して所定の動作制御を行なう。本実施の形態のデジタルカメラ１では、リモコン光の受光に応答して、シャッタボタン２３が押下されたと同様の動作がなされるようになっている。したがって、ユーザは、リモコン８を操作することにより、デジタルカメラ１から離間した状態でも撮影開始指示を行なうことができるようになっている。なお、リモコン８の操作によりなされる指示の種類は、これに限定されず、例えば、セルフタイマー撮影の計時開始指示などの他の指示であってもよい。
【００６０】
本実施の形態のリモコン受光部４６は、フラッシュパネル５１の外表面を境界として規定される空間内に配置され、外部から発信されるリモコン光をフラッシュパネル５１を介して受光するようになっている。以下においては、リモコン受光部４６の具体的な配置態様について３つの配置態様を説明するが、デジタルカメラ１ではいずれの配置態様が採用されてもよい。いずれの配置態様が採用される場合であっても、リモコン受光部４６は、デジタルカメラ１の正面側及び背面側の双方から発信されたリモコン光を受光できるようになっている。
【００６１】
＜１−２．第１の配置態様＞
図５は、リモコン受光部４６の第１の配置態様を示す図であり、フラッシュ部５の断面及びその周辺部を示している。図に示すように、フラッシュパネル５１の内表面５１１を境界として規定される空間５１ｓには、略中央部にフラッシュ光源５２及び反射傘５３が配置されており、それらの下部にリモコン受光部４６が配置されている。このリモコン受光部４６の受光面は、デジタルカメラ１の正面側（Ｚ軸−側）に向けられている。
【００６２】
また、フラッシュパネル５１の前面部材５１ａの内部において、リモコン受光部４６の受光面が向けられた位置（リモコン受光部４６のＺ軸−側）には、ハーフミラー５５が設けられている。このハーフミラー５５は、Ｘ軸及びＺ軸方向に対して傾斜して配置されており、一方の面（以下、「第１面」という。）はＸ軸＋側及びＺ軸＋側に向けられ、他方の面（以下、「第２面」という。）はＸ軸−側及びＺ軸−側に向けられている。ハーフミラー５５は、第１面に入射した光を反射し、第２面に入射した光を透過する性質を有している。
【００６３】
また、フラッシュパネル５１とファインダ部２１との接合部２１５においては、フラッシュパネル５１の外表面５１２は、ファインダ部２１の外表面５１２よりもサイズが大きくなっている。このため、この接合部２１５において、フラッシュパネル５１の外表面５１２は、ファインダ部２１の外表面５１２より外側に配置される。これにより、フラッシュパネル５１のパネル本体部には、デジタルカメラ１の背面側（Ｚ軸＋側）に面する端面（以下、「背面端面」という。）５９が存在している。
【００６４】
デジタルカメラ１の背面側（Ｚ軸＋側）から発信されるリモコン光Ｒｂ２は、この背面端面５９からパネル本体部の内部（内表面５１１と外表面５１２との間）に入射する。入射したリモコン光Ｒｂ２は、パネル本体部において、導光性を有するパネル面の面内方向に進行する。すなわち、リモコン光Ｒｂ２は、フラッシュパネル５１の内表面５１１及び外表面５１２において内部反射することでパネル面の形状に沿って進行し、最終的にハーフミラー５５の第１面まで導かれる。そして、リモコン光Ｒｂ２は、ハーフミラー５５の第１面において反射され、リモコン受光部４６の受光面に導かれることとなる。
【００６５】
一方、デジタルカメラ１の正面側（Ｚ軸−側）から発信されるリモコン光Ｒｂ１は、透光性を有するパネル面の面直方向に入射するため、ハーフミラー５５の第２面に入射する。このため、リモコン光Ｒｂ１は、ハーフミラー５５を透過し、そのままリモコン受光部４６の受光面に受光される。
【００６６】
このように第１の配置態様では、フラッシュパネル５１が、デジタルカメラ１の背面側からのリモコン光Ｒｂ２を、リモコン受光部４６の受光面に導く導光部や反射部として機能する。これにより、リモコン受光部４６は、デジタルカメラ１の正面側及び背面側の双方から発信されたリモコン光を受光できることとなる。
【００６７】
＜１−３．第２の配置態様＞
図６は、リモコン受光部４６の第２の配置態様を示す図である。第１の配置態様と同様の構成については説明を省略する。
【００６８】
図に示すように、第２の配置態様においては、フラッシュパネル５１の前面部材５１ａの下部が板厚方向に内部側（空間５１ｓの側）へ拡張され、断面が略台形の拡張部５６が形成されている。リモコン受光部４６は、この拡張部５６の内部に埋め込まれて配置されている。リモコン受光部４６の受光面は、デジタルカメラ１の略上面側（Ｘ軸＋側）に向けられている。
【００６９】
拡張部５６の一部は、Ｘ軸及びＺ軸方向に対して傾斜し、Ｘ軸−側及びＺ軸−側に向けられた傾斜面５６ａとなっている。この傾斜面５６ａにより、デジタルカメラ１の正面側（Ｚ軸−側）から発信されるリモコン光Ｒｂ１が、リモコン受光部４６の受光面に導かれる。すなわち、正面側からのリモコン光Ｒｂ１は、まず、透光性を有するパネル面の面直方向に入射するため、傾斜面５６ａに対して入射する。これによりリモコン光Ｒｂ１は、傾斜面５６ａにおいて反射され、リモコン受光部４６の受光面に受光される。なお、傾斜面５６ａには、リモコン光の反射率を高めるように反射膜を形成してもよい。
【００７０】
一方、デジタルカメラ１の背面側（Ｚ軸＋側）から発信されるリモコン光Ｒｂ２は、第１の配置態様と同様に、背面端面５９からフラッシュパネル５１のパネル本体部の内部に入射する。そして、リモコン光Ｒｂ２は、パネル本体部の内部をパネル面の形状に沿って進行し、そのままリモコン受光部４６の受光面まで導かれることとなる。
【００７１】
このように第２の配置態様では、フラッシュパネル５１が、デジタルカメラ１の正面側及び背面側の双方からのリモコン光Ｒｂ１，Ｒｂ２を、リモコン受光部４６の受光面に導く導光部や反射部として機能する。これにより、リモコン受光部４６は、デジタルカメラ１の正面側及び背面側の双方から発信されたリモコン光を受光できることとなる。
【００７２】
＜１−４．第３の配置態様＞
図７は、リモコン受光部４６の第３の配置態様を示す図である。第１の配置態様と同様の構成については説明を省略する。
【００７３】
図に示すように、第３の配置態様においては、空間５１ｓにおけるフラッシュ光源５２及び反射傘５３の上部にリモコン受光部４６が配置されている。このリモコン受光部４６の受光面は、デジタルカメラ１の正面側（Ｚ軸−側）に向けられている。
【００７４】
リモコン受光部４６の正面向き（−Ｚ向き）は、前面部材５１ａのパネル面の透光性を有する面直方向となる。このため、デジタルカメラ１の正面側（Ｚ軸−側）から発信されるリモコン光Ｒｂ１は、リモコン受光部４６にそのまま受光される。
【００７５】
一方、リモコン受光部４６の上部近傍となるフラッシュパネル５１の側面部材５１ｂにおいては、それぞれ断面が略台形の凹部５７と凸部５８とが形成されている。凹部５７は、凸部５８よりも背面側（Ｚ軸＋側）に配置される。
【００７６】
凹部５７とパネル本体部との背面側（Ｚ軸＋側）の境界としての第１境界面５７ａは、パネル本体部におけるリモコン光Ｒｂ２の進行経路に対して略垂直に形成される。一方、凹部５７とパネル本体部との正面側（Ｚ軸−側）の境界としての第２境界面５７ｂは、Ｘ軸及びＺ軸方向に対して傾斜し、Ｘ軸−側及びＺ軸＋側に向けられた面となっている。第２境界面５７ｂは、凹部５７と凸部５８との境界であるともいえ、第１境界面５７ａよりも広くなっている。
【００７７】
デジタルカメラ１の背面側（Ｚ軸＋側）から発信されるリモコン光Ｒｂ２は、第１の配置態様と同様に、背面端面５９からフラッシュパネル５１のパネル本体部に入射する。このリモコン光Ｒｂ２は、第１境界面５７ａにおいてパネル本体部から進出し、第２境界面５７ｂに入射する。これにより、リモコン光Ｒｂ２は、第２境界面５７ｂにおいて反射され、リモコン受光部４６の受光面に導かれることとなる。なお、第２境界面５７ｂには、リモコン光の反射率を高めるように反射膜を形成してもよい。
【００７８】
このように第３の配置態様では、フラッシュパネル５１が、デジタルカメラ１の背面側からのリモコン光Ｒｂ２を、リモコン受光部４６の受光面に導く導光部や反射部として機能する。これにより、リモコン受光部４６は、デジタルカメラ１の正面側及び背面側の双方から発信されたリモコン光を受光できることとなる。
【００７９】
＜１−５．まとめ＞
以上、第１の実施の形態について説明したように、本実施の形態のデジタルカメラ１では、フラッシュパネル５１が、デジタルカメラ１の背面側からのリモコン光Ｒｂ２を、リモコン受光部４６の受光面に導く光学系（導光部や反射部）として機能する。これにより、リモコン受光部４６は、正面側からのリモコン光とともに、背面側からのリモコン光を受光することができる。
【００８０】
すなわち、デジタルカメラ１は、一のリモコン受光部４６のみにより、複数の向きからのリモコン光を受光することができ、比較的広い範囲からのリモコン光に応答することができる。また、フラッシュパネル５１がこのような光学系（導光部や反射部）として機能することから、リモコン光を導くために専用の光学系が必要とならず、大きなコスト上昇を伴うこともない。
【００８１】
＜２．第２の実施の形態＞
次に、本発明の第２の実施の形態について説明する。本実施の形態のデジタルカメラ１の基本的な構成は、図１ないし図４に示したものと同様である。本実施の形態においては、リモコン受光部４６ではなく、動作表示部４５のうちの一つの動作表示灯がフラッシュパネル５１の外表面を境界として規定される空間内に配置される。そして、動作表示灯は、フラッシュパネル５１を介して外部に状態光を発光するようになっている。
【００８２】
以下においては、動作表示灯の具体的な配置態様について３つの配置態様を説明するが、デジタルカメラ１ではいずれの配置態様が採用されてもよい。いずれの配置態様が採用される場合であっても、動作表示灯４７で発光される状態光は、デジタルカメラ１の正面側及び背面側の双方から視認できるようになっている。
【００８３】
＜２−１．第１の配置態様＞
図８は、動作表示灯４７の第１の配置態様を示す図である。図８と図５とを比較してわかるように、図８に示す配置態様は、図５に示すリモコン受光部４６の配置態様において、リモコン受光部４６の替わりに動作表示灯４７を配置したものである。このため、図５と同様の構成については説明を省略する。
【００８４】
動作表示灯４７の発光面は、デジタルカメラ１の正面側（Ｚ軸−側）に向けられている。フラッシュパネル５１の前面部材５１ａの内部において、この動作表示灯４７の発光面が向けられた位置（動作表示灯４７のＺ軸−側）には、図５と同様にハーフミラー５５が設けられる。このハーフミラー５５は、第１面に入射された光のうちの一部を透過し、残りを反射する性質を有している。
【００８５】
動作表示灯４７が状態光を発光すると、状態光は発光面からＺ軸−側に放射状に拡がって進行する。このうち発光面からほぼ−Ｚ向きに進行した状態光は、ハーフミラー５５の第１面に入射する。そして、ハーフミラー５５により、状態光のうちの一部はデジタルカメラ１の正面側（Ｚ軸−側）へ透過され、状態光のうちの残りは前面部材５１ａのパネル面の面内方向（Ｘ軸＋側）へ反射される。つまり、状態光は、ハーフミラー５５により、透過する成分光（以下、「透過成分光」という。）と、反射する成分光（以下、「反射成分光」）とに分離されることとなる。
【００８６】
透過成分光は、そのままデジタルカメラ１の正面側（Ｚ軸−側）に進行するため、デジタルカメラ１の正面側（Ｚ軸−側）から視認することが可能となる。一方、反射成分光は、パネル本体部においてパネル面の面内方向に進行する。すなわち、反射成分光は、内表面５１１及び外表面５１２において内部反射することでパネル本体部の内部をパネル面の形状に沿って進行し、最終的に背面端面５９まで導かれる。したがって、デジタルカメラ１の背面側（Ｚ軸＋側）からも、状態光を視認することが可能となる。
【００８７】
また、背面端面５９には、状態光を拡散する拡散構造６０が形成されている。拡散構造６０は、背面端面５９のそのものに微細な傷や突起を多数形成するなど、背面端面５９の表面を加工することにより形成される。また、拡散構造６０は、例えば、磨りガラス、オパールガラスなどの拡散材を背面端面５９に貼付することにより形成されてもよい。背面端面５９まで導かれた反射成分光は、このような拡散構造から外部へと拡散する。したがって、反射成分光の乱反射が生じ、デジタルカメラ１の背面側（Ｚ軸＋側）から状態光を明瞭に視認することができるようになる。
【００８８】
また、ハーフミラー５５は、その第１面に入射した光のうちの例えば７割を透過し、残りの３割を反射する性質を有している。したがって、透過成分光の光量は、反射表示光の光量と比較して多くなる。通常、状態光を背面側から視認するユーザは、デジタルカメラ１を直接的に扱っている場合が多く、一方で、状態光を正面側から視認するユーザは、ユーザ自身が被写体である場合など、デジタルカメラ１から離れている場合が多い。このため、正面側へ導く透過成分光の光量を背面側へ導く反射成分光の光量よりも多くすることで、デジタルカメラ１から離れている正面側のユーザであっても、状態光を明瞭に視認することができることとなる。
【００８９】
このように第１の配置態様では、動作表示灯４７が正面側（Ｚ軸−側）に向けて発光した状態光を、背面側（Ｚ軸＋側）まで導く導光部や反射部としてフラッシュパネル５１が機能する。これにより、デジタルカメラ１の正面側及び背面側の双方から状態光を視認できることとなる。
【００９０】
＜２−２．第２の配置態様＞
図９は、動作表示灯４７の第２の配置態様を示す図である。図９と図６とを比較してわかるように、図９に示す配置態様は、図６に示すリモコン受光部４６の配置態様において、リモコン受光部４６の替わりに動作表示灯４７を配置したものである。このため、図６と同様の構成については説明を省略する。
【００９１】
動作表示灯４７の発光面は、デジタルカメラ１の略上面側（Ｘ軸＋側）に向けられている。このため、動作表示灯４７が状態光を発光すると、状態光は発光面からＸ軸＋側に放射状に拡がって進行する。
【００９２】
この状態光のうちの一部は、拡張部５６の傾斜面５６ａにおいて反射されて、デジタルカメラ１の正面側（Ｚ軸−側）に導かれる。したがって、デジタルカメラ１の正面側から状態光を視認することが可能となる。また、状態光のうちの他の一部は、前面部材５１ａのパネル面の面内方向（Ｘ軸＋側）へ進入した後、パネル本体部の内部をパネル面の形状に沿って進行して背面端面５９まで導かれることとなる。本配置態様においても、この背面端面５９には、状態光を拡散する拡散構造６０が形成されている。したがってこれにより、デジタルカメラ１の背面側からも、状態光を視認することが可能となる。
【００９３】
本配置形態においては、動作表示灯４７からの状態光は、傾斜面５６ａと前面部材５１ａとによって、正面側（Ｚ軸−側）に導かれる成分光と、背面側（Ｚ軸＋側）に導かれる成分光とに分離される。動作表示灯４７からの直接的な状態光が入射する面積としては、前面部材５１ａの断面よりも傾斜面５６ａのほうが大きい。このため、正面側へ導かれる成分光の光量は、背面側へ導かれる成分光の光量よりも多くなる。したがって、本配置形態においてもデジタルカメラ１から離れている正面側のユーザが、状態光を明瞭に視認することができることとなる。
【００９４】
このように第２の配置態様では、動作表示灯４７が発光した状態光を、正面側（Ｚ軸−側）及び背面側（Ｚ軸＋側）の双方に導く導光部や反射部としてフラッシュパネル５１が機能する。これにより、デジタルカメラ１の正面側及び背面側の双方から状態光を視認できることとなる。
【００９５】
＜２−３．第３の配置態様＞
図１０は、動作表示灯４７の第３の配置態様を示す図である。図１０と図７とを比較してわかるように、図１０に示す配置態様は、図７に示すリモコン受光部４６の配置態様において、リモコン受光部４６の替わりに動作表示灯４７を配置したものである。このため、図７と同様の構成については説明を省略する。
【００９６】
動作表示灯４７の発光面は、デジタルカメラ１の正面側（Ｚ軸−側）に向けられている。このため、動作表示灯４７が状態光を発光すると、状態光は発光面からＺ軸−側に放射状に拡がって進行する。
【００９７】
この状態光のうちの大部分は、そのままデジタルカメラ１の正面向き（−Ｚ向き）に進行するため、デジタルカメラ１の正面側（Ｚ軸−側）から状態光を視認することが可能となる。また、状態光のうちの一部は、第２境界面５７ｂにおいて反射された後、第１境界面５７ａにおいてパネル本体部に進入し、最終的に背面端面５９まで導かれることとなる。本配置態様においても、この背面端面５９には、状態光を拡散する拡散構造が形成されている。したがってこれにより、デジタルカメラ１の背面側からも状態光を視認することが可能となる。
【００９８】
本配置態様においては、動作表示灯４７からの状態光は、その一部が第２境界面５７ｂにより分離される。動作表示灯４７から第２境界面５７ｂに入射する成分光の光量は、動作表示灯４７からデジタルカメラ１の正面側（Ｚ軸−側）に進行する成分光の光量よりも小さい。すなわち、正面側へ導かれる成分光は、背面側へ導かれる成分光よりも多くなる。したがって、本配置態様においても、デジタルカメラ１から離れている正面側のユーザが、状態光を明瞭に視認することができることとなる。
【００９９】
このように第３の配置態様では、動作表示灯４７が正面側（Ｚ軸−側）に向けて発光した状態光を、背面側（Ｚ軸＋側）まで導く導光部や反射部としてフラッシュパネル５１が機能する。これにより、デジタルカメラ１の正面側及び背面側の双方から状態光を視認できることとなる。
【０１００】
＜２−４．まとめ＞
以上、第２の実施の形態について説明したように、本実施の形態のデジタルカメラ１では、フラッシュパネル５１が、動作表示灯４７からの状態光をデジタルカメラ１の背面側に導く光学系（導光部や反射部）として機能する。これにより、正面側及び背面側の双方において状態光を視認することが可能となる。
【０１０１】
すなわち、デジタルカメラ１は、一の動作表示灯４７のみにより、状態光を複数の向きに示すことができ、状態光の視認性を向上することができる。また、フラッシュパネル５１がこのような光学系（導光部や反射部）として機能することから、状態光を導くために専用の光学系が必要とならず、大きなコスト上昇を伴うこともない。
【０１０２】
また、一の動作表示灯４７からの状態光を、正面側及び背面側の双方において視認することが可能であることから、この動作表示灯４７を、正面側において必要な状態光を発光するための動作表示灯（例えば、セルフタイマーランプ）と、背面側において必要な状態光を発光するための動作表示灯（例えば、アクセスランプ）とに兼用することができる。このため、必要となる動作表示灯の数を減らすことができ、デジタルカメラ１の製造コストを大幅に削減できる。
【０１０３】
なお、一の動作表示灯４７からの状態光を、正面側及び背面側の双方において視認することを可能とする動作表示灯４７の配置態様としては、図１１に示す配置態様も考えられる。図に示すように、この配置態様においては、フラッシュパネル５１の上部の一部が、板厚方向に外部に突出して突出部５１ｐが形成されている。つまり、突出部５１ｐの外表面は、他の部位の外表面よりも外部に配置される。そして、この突出部５１ｐの内部に、一の動作表示灯４７が、その発光面を上面側に向けて配置されている。この状態で、動作表示灯４７が状態光を発光すると、状態光は発光面からＸ軸＋側に放射状に拡がって進行する。したがって、この状態光は、正面側及び背面側の双方において視認することが可能となる。
【０１０４】
＜３．第３の実施の形態＞
次に、本発明の第３の実施の形態について説明する。本実施の形態のデジタルカメラ１の基本的な構成は、図１ないし図４に示したものと同様である。
【０１０５】
本実施の形態のデジタルカメラ１においては、光軸Ｌに沿った正面向き（−Ｚ向き）にフラッシュ光を発光する通常発光とともに、正面向き（−Ｚ向き）とは異なる向きにフラッシュ光を発光するバウンス発光を行なうことが可能とされている。このため、フラッシュ部５は、フラッシュ光源５２によるフラッシュ光の向きを変更するための駆動部を備えている。
【０１０６】
図１２は、本実施の形態におけるフラッシュ部５の断面及びその周辺部を示している。
【０１０７】
本実施の形態では、フラッシュ光源５２と反射傘５３とが一体化されてフラッシュユニット５０とされている。そして、このフラッシュユニット５０をＹ軸方向に沿った軸ａｘを中心として回動させるための駆動部５４が、フラッシュ部５の空間５１ｓに設けられている。フラッシュユニット５０によるフラッシュ光の向きは、半筒状の反射傘５３の開口方向となり、反射傘５３の向きによって規定される。したがって、フラッシュユニット５０を軸ａｘを中心に回動させれば、フラッシュ光の向きが変更される。
【０１０８】
図に示すように、駆動部５４は、ステッピングモータ５４ａと、減速ギヤ５４ｂと、駆動ギア５４ｃとから主として構成される。ステッピングモータ５４ａの回転軸にはピニオンギヤが配置されており、このピニオンギヤは減速ギヤ５４ｂの大ギヤと係合されている。また、減速ギヤ５４ｂの小ギヤは、扇状の駆動ギア５４ｃに係合されている。駆動ギア５４ｃは、軸ａｘを中心に回転可能に支持されるとともに、フラッシュユニット５０に固設されている。
【０１０９】
以上のような構成において、ステッピングモータ５４ａが駆動すると、図に示すように、フラッシュユニット５０が、フラッシュパネル５１の内表面５１１を境界として規定される空間５１ｓの内部で回動される。駆動部５４によってフラッシュユニット５０を回動することが可能な角度は９０°となっている。これにより、フラッシュユニット５０がフラッシュ光を発光可能な向きは、被写体が存在する正面向き（−Ｚ向き）と、直上向き（＋Ｘ向き）との間のいずれかの向きとなる。
【０１１０】
ステッピングモータ５４ａは、ＣＰＵ６１に電気的に接続され、ＣＰＵ６１からの制御信号に基づいて駆動される。したがって、フラッシュユニット５０によるフラッシュ光の発光の向きは、ＣＰＵ６１及び駆動部５４によって調整される。
【０１１１】
フラッシュ光の発光の向きは、デジタルカメラ１が備える「発光モード」に応じて決定される。デジタルカメラ１は、「発光モード」として、「通常発光モード」、「バウンス発光モード」及び「非発光モード」を備えており、ユーザによっていずれか一の発光モードが選択可能とされている。
【０１１２】
「通常発光モード」は、フラッシュ光で被写体を直接的に照明しつつ撮影するためのモードであり、フラッシュ光の発光の向きは正面向き（−Ｚ向き）とされる。一方で、「バウンス発光モード」は、フラッシュ光を被写体近傍の天井や壁などに発光し、その反射光で間接的に被写体を照明（バウンス発光）しつつ撮影するバウンス撮影を行なうためのモードであり、フラッシュ光の発光の向きは正面向き（−Ｚ向き）よりも上向き（＋Ｘ向き）とされる。また、「非発光モード」では、フラッシュ光は発光されないこととなる。
【０１１３】
図１３は、本実施の形態のデジタルカメラ１の撮影モードにおける動作の流れを示す図である。以下、この図を参照しつつ、デジタルカメラ１の撮影モードの動作について説明する。
【０１１４】
デジタルカメラ１は撮影モードに設定されると、まず、シャッタボタン２３の操作を待機する撮影待機状態となり、ファインダ部２１あるいは液晶モニタ２６にてライブビュー表示が行われる（ステップＳ１１）。この撮影待機状態において、ユーザにより操作ボタン群２５にて所定の操作がされると、液晶モニタ２６にて設定メニューが表示される（ステップＳ１２にてＹｅｓ）。「発光モード」は、この設定メニューにおいて選択できるようになっている（ステップＳ１３）。
【０１１５】
図１４は、「発光モード」の選択指示を受け付けるための液晶モニタ２６の表示例を示す図である。図に示すように、液晶モニタ２６には、「非発光」「通常発光」「バウンス発光」のうちいずれかの項目を選択する画面が表示される。これらの項目はそれぞれ、「非発光モード」、「通常発光モード」及び「バウンス発光モード」に対応しており、これらの項目の選択により「発光モード」が選択される。ユーザは操作ボタン群２５を操作することによりカーソルＣを所望の項目まで移動させ、操作ボタン群２５に含まれる決定ボタンを押下することにより項目の選択を確定することができる。つまりこれにより、「発光モード」の選択指示がＣＰＵ６１に受け付けられる。選択された「発光モード」は能動化（アクティブ化）される。
【０１１６】
「発光モード」が選択されると次に、選択された「発光モード」がＣＰＵ６１により判定される（ステップＳ１４）。選択された「発光モード」が、「非発光モード」あるいは「通常発光モード」の場合は、ＣＰＵ６１から駆動部５４に信号が送信され、フラッシュ光の発光の向きが正面向き（−Ｚ向き）となるようにフラッシュユニット５０が駆動される（ステップＳ１５）。
【０１１７】
一方、「発光モード」が「バウンス発光モード」の場合は、さらに、正面向き（−Ｚ向き）に対してのフラッシュ光を発光する角度が、「設定角度」としてユーザから受け付けられる。図１５は、設定角度を受け付けるための液晶モニタ２６の表示例を示す図である。図に示すように、液晶モニタ２６には設定角度Ａｎが表示される。ユーザは、このような画面を参照しつつ、操作ボタン群２５を操作することにより、設定角度Ａｎを０〜９０°の範囲内で変更することができる。そして、決定ボタンを押下することにより設定角度Ａｎを確定することができる。つまりこれにより、設定角度ＡｎがＣＰＵ６１に受け付けられる（ステップＳ１６）。
【０１１８】
設定角度が受け付けられると次に、ＣＰＵ６１から駆動部５４に信号が送信され、光軸Ｌの方向に対してのフラッシュ光の発光の向きの角度が、設定角度となるように、フラッシュユニット５０が駆動される（ステップＳ１７）。
【０１１９】
フラッシュユニット５０の駆動（ステップＳ１５，Ｓ１７）の後は、デジタルカメラ１は、シャッタボタン２３の操作を待機する状態に戻る。
【０１２０】
シャッタボタン２３が押下されると、能動化された「発光モード」が判定される（ステップＳ１８）。そして、「発光モード」が「非発光モード」のときは、フラッシュ光を発光せずに露光がなされ（ステップＳ２０）、取得された画像がメモリカード９に記録される（ステップＳ２１）。
【０１２１】
一方、「発光モード」が「通常発光モード」あるいは「バウンス発光モード」のときは、フラッシュユニット５０からフラッシュ光が発光されるとともに露光がなされ（ステップＳ１９，Ｓ２０）、取得された画像がメモリカード９に記録される（ステップＳ２１）。「通常発光モード」においてはフラッシュ光は正面向き（−Ｚ向き）に発光され、「バウンス発光モード」においてはフラッシュ光は正面向き（−Ｚ向き）から設定角度だけ傾いた向きに向けて発光される。
【０１２２】
以上、第３の実施の形態について説明したように、本実施の形態のデジタルカメラ１では、フラッシュパネル５１の内表面を境界として規定される空間内でフラッシュユニット５０が回動されるため、デジタルカメラ１のデザイン性やコンパクト性を損なうことなく、通常発光とともにバウンス発光を行なうことができる。
【０１２３】
また、デジタルカメラ１は「通常発光モード」及び「バウンス発光モード」を含む複数の「発光モード」を備え、ユーザーはいずれかを選択することが可能である。したがって、ユーザは、正面向きに発光する通常発光と、正面向きとは異なる向きに発光するバウンス発光とで所望のものに、フラッシュ光の発光態様を切り替えることができる。
【０１２４】
また、「バウンス発光モード」においては、フラッシュ光を発光する角度が、ユーザから受け付けられた設定角度に調整される。このため、ユーザは、フラッシュ光の発光の向きを所望の角度に調整できることとなる。
【０１２５】
＜４．第４の実施の形態＞
次に、本発明の第４の実施の形態について説明する。本実施の形態のデジタルカメラ１の基本的な構成は、図１ないし図４に示したものと同様である。
【０１２６】
第３の実施の形態では、フラッシュユニット５０を回動させることで通常発光とバウンス発光とを切替えるようにしていたが、本実施の形態では、互いに発光の向きが異なる２つのフラッシュ光源を備え、いずれかを選択的に発光させることで通常発光とバウンス発光とを切替えるようにしている。
【０１２７】
図１６は、本実施の形態におけるフラッシュ部５の断面及びその周辺部を示している。
【０１２８】
図に示すように、フラッシュ部５の空間５１ｓには、一のフラッシュ光源と一の反射傘との組み合わせであるフラッシュユニットが２つ設けられており（フラッシュユニット７１，７２）、これらがフラッシュパネル５１に相対的に固定配置されている。第１のフラッシュユニット７１は、第１光源７１ａ及び第１反射傘７１ｂから構成され、そのフラッシュ光の発光の向きは正面向き（−Ｚ向き）に固定されている。一方、第２のフラッシュユニット７２は、第２光源７２ａ及び第２反射傘７２ｂから構成され、そのフラッシュ光の発光の向きは、正面向き（−Ｚ向き）に対して６０°の角度に固定されている。なお、第２光源７２ａによるフラッシュ光の発光の向きは６０°に限定されず、正面向き（−Ｚ向き）と直上向き（＋Ｘ向き）との間のいずれかの向きであればよい。
【０１２９】
２つのフラッシュ光源（第１光源７１ａ及び第２光源７２ａ）の双方は、発光制御回路４４を介してＣＰＵ６１に接続される。発光制御回路４４は、ＣＰＵ６１からの信号に基づいて、第１光源７１ａ及び第２光源７２ａを選択的に発光させることができる。また、発光制御回路４４は、ＣＰＵ６１からの信号に基づいて、第１光源７１ａ及び第２光源７２ａの発光光量も調整する。
【０１３０】
本実施の形態においてもデジタルカメラ１は、「発光モード」として、「通常発光モード」、「バウンス発光モード」及び「非発光モード」を備えており、ユーザによっていずれか一の発光モードが選択可能とされている。２つのフラッシュ光源７１ａ，７２ａのうちのいずれを発光させるかは、選択された「発光モード」に応じて決定される。
【０１３１】
図１７は、本実施の形態のデジタルカメラ１の撮影モードにおける動作の流れを示す図である。
【０１３２】
本実施の形態のデジタルカメラ１においても、撮影モードに設定されるとまず撮影待機状態となり（ステップＳ３１）、この撮影待機状態において所定の操作を行なうことで「発光モード」が選択できるようになっている（ステップＳ３２，Ｓ３３）。「発光モード」の選択手法は、第３の実施の形態と同様である。「発光モード」が選択されると、デジタルカメラ１はそのままシャッタボタン２３の操作を待機する状態に戻る。
【０１３３】
シャッタボタン２３が押下されると、能動化された「発光モード」が判定される（ステップＳ３４）。そして、「発光モード」が「非発光モード」のときは、第１及び第２光源７１ａ，７２ａの双方共にフラッシュ光を発光せずに露光がなされ（ステップＳ３７）、取得された画像がメモリカード９に記録される（ステップＳ３８）。
【０１３４】
また、「発光モード」が「通常発光モード」のときは、ＣＰＵ６１及び発光制御回路４４の制御により、第１光源７１ａのみが発光される。これにより、通常発光が行なわれ、フラッシュ光の発光の向きは正面向き（−Ｚ向き）となる（ステップＳ３５）。一方、「発光モード」が「バウンス発光モード」のときは、ＣＰＵ６１及び発光制御回路４４の制御により、第２光源７２ａのみが発光される。これにより、バウンス発光が行なわれ、フラッシュ光の発光の向きは正面向き（−Ｚ向き）に対して６０°の向きとなる（ステップＳ３６）。このようにしてフラッシュ光が発光されると、この発光とともに露光がなされ（ステップＳ３７）、取得された画像がメモリカード９に記録される（ステップＳ３８）。
【０１３５】
以上、第４の実施の形態について説明したように、本実施の形態のデジタルカメラ１では、フラッシュ光の発光の向きが互いに異なる２つのフラッシュ光源７１ａ，７２ａがフラッシュパネル５１の内表面を境界として規定される空間内に設けられ、これらが選択的に発光されるため、デジタルカメラ１のデザイン性やコンパクト性を損なうことなく、通常発光とともにバウンス発光を行なうことができる。
【０１３６】
また、本実施の形態のデジタルカメラ１も「通常発光モード」及び「バウンス発光モード」を含む複数の「発光モード」を備え、ユーザーはいずれかを選択することが可能である。したがって、ユーザは、正面向きに発光する通常発光と、正面向きとは異なる向きに発光するバウンス発光とで所望のものに、フラッシュ光の発光態様を切り替えることができる。
【０１３７】
＜５．第５の実施の形態＞
次に、本発明の第５の実施の形態について説明する。本実施の形態のデジタルカメラ１は、構成に関しては第４の実施の形態のものと同一であるが、動作が相違している。
【０１３８】
第４の実施の形態では、「バウンス発光モード」において第２光源７２ａのみが発光されていたが、本実施の形態では、第１光源７１ａ及び第２光源７２ａの双方が発光されるようになっている。また、第１光源７１ａ及び第２光源７２ａの双方を発光する際における２つのフラッシュ光源７１ａ，７２ａのそれぞれの発光光量の比をユーザが設定できるようになっている。
【０１３９】
図１８は、本実施の形態のデジタルカメラ１の撮影モードにおける動作の流れを示す図である。
【０１４０】
本実施の形態のデジタルカメラ１においても、撮影モードに設定されるとまず撮影待機状態となり（ステップＳ４１）、この撮影待機状態において所定の操作を行なうことで「発光モード」が選択できるようになっている（ステップＳ４２，Ｓ４３）。「発光モード」の選択手法は、第３の実施の形態と同様である。
【０１４１】
「発光モード」が選択されると次に、選択された「発光モード」がＣＰＵ６１により判定される（ステップＳ４４）。選択された「発光モード」が「非発光モード」あるいは「通常発光モード」の場合は、デジタルカメラ１はそのままシャッタボタン２３の操作を待機する状態に戻る。
【０１４２】
一方、「発光モード」が「バウンス発光モード」のときは、さらに、第１光源７１ａの発光光量と第２光源７２ａの発光光量との比が「設定比」としてユーザから受け付けられる。図１９は、設定比を受け付けるための液晶モニタ２６の表示例を示す図である。図に示すように、液晶モニタ２６には、第１光源７１ａの発光光量及び第２光源７２ａの発光光量のそれぞれに対する設定比Ｒ１，Ｒ２が表示される。Ｒ１とＲ２とはＲ１＋Ｒ２＝１の関係を有しており、操作ボタン群２５を操作することにより双方の値を変更することができるようになっている。
【０１４３】
すなわち、操作ボタン群２５の所定の操作を行なう毎に、Ｒ１とＲ２とのうちの一方が０．１ずつ上昇され、他方が０．１ずつ減少されるようになっている。この設定比Ｒ１，Ｒ２はそれぞれ、０．１〜０．９の範囲で設定することができる。そして、決定ボタンを押下することにより、設定比Ｒ１，Ｒ２を確定することができる。つまりこれにより、設定比Ｒ１，Ｒ２がＣＰＵ６１に受け付けられる（ステップＳ４５）。設定比が受け付けられると、デジタルカメラ１はシャッタボタン２３の操作を待機する状態に戻る。
【０１４４】
シャッタボタン２３が押下されると、能動化された「発光モード」が判定される（ステップＳ４６）。そして、「発光モード」が「非発光モード」あるいは「通常発光モード」のときは、第４の実施の形態と同様の動作がなされる（ステップＳ４７，Ｓ４９，Ｓ５０）。
【０１４５】
一方、「発光モード」が「バウンス発光モード」のときは、ＣＰＵ６１及び発光制御回路４４の制御により、第１光源７１ａ及び第２光源７２ａの双方が発光される。この際、第１光源７１ａの発光光量及び第２光源７２ａの発光光量は、それらの比が設定比になるように発光制御回路４４によって調整される（ステップＳ４８）。そして、これら２つのフラッシュ光源７１ａ，７２ａによる発光とともに露光がなされ（ステップＳ４９）、取得された画像がメモリカード９に記録される（ステップＳ５０）。
【０１４６】
以上、第５の実施の形態について説明したように、本実施の形態のデジタルカメラ１では、「バウンス発光モード」において、第１光源７１ａ及び第２光源７２ａの双方が発光される。このため、被写体を複数の向きからフラッシュ光で照射できる。また、この際における第１光源７１ａの発光光量と第２光源７２ａの発光光量との比を設定することができるため、ユーザは、フラッシュ光が被写体を照射する態様を趣向に応じて種々に変更できる。
【０１４７】
＜６．変形例＞
以上、本発明の実施の形態について説明してきたが、この発明は上記実施の形態に限定されるものではなく様々な変形が可能である。
【０１４８】
◎上記実施の形態では、フラッシュパネル５１は、正面向き（−Ｚ向き）、並びに、これに垂直な３つの向きからフラッシュ光源を包囲するものであったが、少なくとも正面向き（−Ｚ向き）及び、それに垂直な１つの向きのみに関してフラッシュ光源を包囲し、これらの２つの向きに関してのみ光を透過するものであってもよい。このようなフラッシュパネルは、上記実施の形態のいずれにも採用することができる。
【０１４９】
このとき、フラッシュパネル５１が、例えば、正面向き（−Ｚ向き）、及び、一の側面向き（＋Ｙ向き）のみに関してフラッシュ光源を包囲する形状のものであれば、上記第３ないし第５の実施の形態においてバウンス発光を行なうときには、−Ｚ向きと＋Ｙ向きとの間のいれかの向きにフラッシュ光を発光するようにすればよい。このようにフラッシュ光の発光の向きを側面向きにしたとしても、バウンス撮影を行なうことは可能である。
【０１５０】
◎フラッシュパネルの形状は、上記実施の形態のものに限定されず、例えば図２０に示すような形状のものであってもよい。図２０に示すフラッシュパネル８１は、その形状が四半球状となっており、その全体が透明材で構成される。そして、このフラッシュパネル８１は、図に示すように２つの開口面をそれぞれＺ軸＋側及びＸ軸−側へ向けることで、上記実施の形態のデジタルカメラ１におけるフラッシュパネル５１の替わりに配置することが可能である。
【０１５１】
図２１は、第２の実施の形態の第２の配置態様（図９参照。）においてフラッシュパネル５１の替わりに、図２０に示すフラッシュパネル８１を配置した様子を示す図である。この例においても、フラッシュパネル８１の内表面を境界として規定される空間８１ｓにフラッシュ光源５２及び反射傘５３が配置されている。そして、フラッシュパネル８１の前面下部において拡張部５６が形成され、その内部に動作表示灯４７が配置されている。
【０１５２】
動作表示灯４７が状態光を発光すると、状態光のうちの一部は、拡張部８６の傾斜面８６ａにおいて反射されてデジタルカメラ１の正面側（Ｚ軸−側）に導かれる。また、状態光のうちの他の一部は、パネル面の面直方向へそのまま進入した後、パネル面の形状に沿って進行して背面側（Ｚ軸＋側）に面する背面端面８９まで導かれることとなる。したがって、動作表示灯４７で発光される状態光は、デジタルカメラ１の正面側及び背面側の双方から視認できることとなる。
【０１５３】
なお、このフラッシュパネル８１も、正面向き（−Ｚ向き）、並びに、上面向き（＋Ｘ向き）及び側面向き（±Ｙ向き）にてフラッシュ光源５２を包囲し、かつ、正面向き（−Ｚ向き）に直交する断面形状はアーチ状となるため、高い強度を有している。
【０１５４】
また、フラッシュパネル８１の背面端面８９の最上部は板厚方向に拡幅され、これにより拡幅部８２が形成されている。図２２は、フラッシュパネル８１を背面側（Ｚ軸＋側）からみた図である。図に示すように、フラッシュパネル８１の背面端面８９の最上部は拡幅部８２となっている。これにより所定の板幅で比較すると、拡幅部８２は他の部位よりも背面側（Ｚ軸＋側）に面する表面積が大きくなっている。つまり、拡幅部８２は背面側（Ｚ軸＋側）からの視認性が高くなる。そして、状態光を拡散する拡散構造６０は、背面端面８９のうちの拡幅部８２のみに（図中においてハッチングで示す部分のみに）形成されている。このような構成により、背面側（Ｚ軸＋側）における状態光の視認性を向上することができる。
【０１５５】
◎フラッシュパネル５１は、透明材で構成されるものとしたが、透過対象とする光の波長帯を透過する性質を有する光透過材で構成されれば、透明でなくてもよい。
【０１５６】
◎フラッシュパネル５１は光透過材で構成されることから、フラッシュパネル５１の内表面を境界として規定される空間内には、上記実施の形態において説明したリモコン受光部４６や動作表示灯４７の他に、外部からの光を受光する、あるいは、外部に対して光を発光する光取扱装置を配置することもできる。このような光取扱装置としては、ＡＦ用パッシブセンサー、ＡＦ補助光発光器、太陽電池パネル、赤外通信装置などが考えられる。図２３は、第１の実施の形態の第３の配置態様（図７参照。）において、空間５１ｓ内にＡＦ用パッシブセンサー８８をさらに配置した様子を示している。
【０１５７】
◎また、上記実施の形態では、撮像装置の一としてデジタルカメラを例に説明を行なったが、フィルムを用いる銀塩カメラであっても、本発明に係る技術を適用することが可能である。
【図面の簡単な説明】
【０１５８】
【図１】デジタルカメラの要部構成を示す上面図である。
【図２】デジタルカメラの要部構成を示す正面図である。
【図３】デジタルカメラの要部構成を示す側面図である。
【図４】デジタルカメラの機能構成を模式的に示す図である。
【図５】リモコン受光部の配置態様の一例を示す図である。
【図６】リモコン受光部の配置態様の一例を示す図である。
【図７】リモコン受光部の配置態様の一例を示す図である。
【図８】動作表示灯の配置態様の一例を示す図である。
【図９】動作表示灯の配置態様の一例を示す図である。
【図１０】動作表示灯の配置態様の一例を示す図である。
【図１１】動作表示灯の配置態様の一例を示す図である。
【図１２】第３の実施の形態におけるフラッシュ部の構成を示す図である。
【図１３】第３の実施の形態における動作の流れを示す図である。
【図１４】発光モードの選択指示を受け付けるための表示例を示す図である。
【図１５】設定角度を受け付けるための表示例を示す図である。
【図１６】第４の実施の形態におけるフラッシュ部の構成を示す図である。
【図１７】第４の実施の形態における動作の流れを示す図である。
【図１８】第４の実施の形態における動作の流れを示す図である。
【図１９】設定比を受け付けるための表示例を示す図である。
【図２０】フラッシュパネルの形状の一例を示す図である。
【図２１】フラッシュパネルの配置例を示す図である。
【図２２】フラッシュパネルを背面側からみた図である。
【図２３】フラッシュ部にＡＦ用パッシブセンサーを配置した様子を示す図である。
【符号の説明】
【０１５９】
１      デジタルカメラ
２６      液晶モニタ
４６      リモコン受光部
４７      動作表示灯
５１      フラッシュパネル
５２      フラッシュ光源
５３      反射傘
５４      駆動部
５５      ハーフミラー
【図１】
2006010838.tif 000003
【図２】
2006010838.tif 000004
【図３】
2006010838.tif 000005
【図４】
2006010838.tif 000006
【図５】
2006010838.tif 000007
【図６】
2006010838.tif 000008
【図７】
2006010838.tif 000009
【図８】
2006010838.tif 000010
【図９】
2006010838.tif 000011
【図１０】
2006010838.tif 000012
【図１１】
2006010838.tif 000013
【図１２】
2006010838.tif 000014
【図１３】
2006010838.tif 000015
【図１４】
2006010838.tif 000016
【図１５】
2006010838.tif 000017
【図１６】
2006010838.tif 000018
【図１７】
2006010838.tif 000019
【図１８】
2006010838.tif 000020
【図１９】
2006010838.tif 000021
【図２０】
2006010838.tif 000022
【図２１】
2006010838.tif 000023
【図２２】
2006010838.tif 000024
【図２３】
2006010838.tif 000025